(57)【特許請求の範囲】
【請求項１】
底端に隣接する底部、上端に隣接する上部、および中空軸、を備える点滴用ポールと、
前記点滴用ポールの前記上部に位置決めされ、第１の取付装置によって前記点滴用ポールの前記上部に取り付けられるようになっているポンプ装置と、
前記点滴用ポールの前記底部に位置決めされ、前記ポンプ装置に電気を供給するようになっている電源装置と、
前記点滴用ポールの前記底部に位置決めされ、第２の取付装置によって前記点滴用ポールの前記底部に取り付けられるようになっている、少なくとも前記ポンプ装置を制御するためのコンピュータ処理装置と、
前記点滴用ポールの前記中空軸内に延在し、前記ポンプ装置、前記電源装置、および前記コンピュータ処理装置を接続する電線管と、
を備え、
前記電源装置と前記コンピュータ処理装置は、１つの一体化ユニットを構成する、点滴システム。
【請求項２】
前記点滴用ポールは、アンテナを含む、請求項１に記載の点滴システム。
【請求項３】
前記点滴システムが更に、前記点滴用ポール自体を備える無線通信装置を備えるか、または前記点滴用ポールの前記底部に取り付けられる無線通信装置を備える、請求項１に記載の点滴システム。
【請求項４】
表示装置および入力装置をさらに含み、前記表示装置と前記入力装置との両方が前記点滴用ポールの前記上部に取り付けられる、請求項１に記載の点滴システム。
【請求項５】
前記電源装置は複数の冗長な電源装置を含む、請求項１に記載の点滴システム。
【請求項６】
前記電源装置は、複数の交流電流および直流電流の電源と、複数の交流電流および直流電流の変換器モジュールと、複数の電池と、を備えている、請求項１に記載の点滴システム。
【請求項７】
前記コンピュータ処理装置は、複数の冗長なコンピュータ処理装置を含む、請求項１に記載の点滴システム。
【請求項８】
前記点滴用ポールの前記底部に取り付けられる警報装置をさらに備える、請求項１に記載の点滴システム。
【請求項９】
前記点滴用ポールの前記底部に、冗長な警報装置が取り付けられる、請求項８に記載の点滴システム。
【請求項１０】
前記電線管は、伸縮可能で、前記中空軸から前記点滴用ポールの上端を通って延びる、請求項１に記載の点滴システム。
【請求項１１】
点滴コンテナから情報を読み取るように構成された情報読取装置をさらに備える、請求項１に記載の点滴システム。
【請求項１２】
前記点滴システムが更に、前記点滴用ポールを備えるインピーダンス整合回路を備えるか、または前記点滴用ポールに取り付けられるインピーダンス整合回路を備える、請求項１に記載の点滴システム。
【請求項１３】
点滴システムを製造する方法であって、
第１の取付装置によって取り付けられるポンプ装置を、点滴用ポールの上端に隣接して上部に位置決めするステップと、
電源装置と、少なくとも前記ポンプ装置を制御するためのコンピュータ処理装置とを、前記点滴用ポールの底端に隣接する底部に位置決めするステップであって、前記電源装置は第２の取付装置によって前記底部に取り付けられ、前記電源装置と前記コンピュータ処理装置は、１つの一体化された底部のユニットを構成する、と、
電線管を前記点滴用ポールの中空軸内に延在させて、前記ポンプ装置、前記電源装置、および前記コンピュータ処理装置を接続するステップと、
を含む点滴システムを製造する方法。
【請求項１４】
前記ポンプ装置および前記コンピュータ処理装置に前記電源装置で電力供給するステップと、
前記コンピュータ処理装置で前記ポンプ装置を制御するステップと、を含む、請求項１３に記載の方法によって製造された点滴システムの使用方法。
【請求項１５】
前記点滴用ポールをアンテナとして使用して、信号を送信または受信するステップを含む、請求項１３に記載の方法によって製造された点滴システムの使用方法。
【請求項１６】
前記点滴用ポールの前記底部に通信装置を取り付けるステップと、前記通信装置を用いて信号を送受信するステップと、を含む、請求項１３に記載の方法によって製造された点滴システムに記載の使用方法。
【請求項１７】
前記点滴用ポールにインピーダンス整合回路を取り付けるステップをさらに含み、前記点滴用ポールを放射体として用いた通信装置をさらに備える、請求項１６に記載の使用方法。
【請求項１８】
警報装置を前記点滴用ポールの前記底部に取り付けるステップと、前記警報装置を前記電源装置および前記コンピュータ処理装置に前記電線管で接続するステップと、前記警報装置に前記電源装置で電力供給するステップと、前記警報装置を前記コンピュータ処理装置で制御するステップと、を含む、請求項１３に記載の方法によって製造された点滴システムの使用方法。
【発明の詳細な説明】
【技術分野】
【０００１】
[001]本開示は、電源、制御、および通信装置が１つまたは複数の異なるユニットとしてポンプ装置から離れた１つまたは複数の異なる位置で点滴用ポールに取り付けられる、点滴用（ＩＶ：ｉｎｔｒａｖｅｎｏｕｓ）ポール搭載一体型点滴システムおよび方法に関する。より詳細には、本開示は、電源、制御、および通信システムを、ポンプからおよびポンプとの物理的な支持関係から移動させながら、ＩＶポールを有するポンプ装置を物理的に支持することに関する。さらに、本開示は、ポンプ装置をＩＶポール、特に車輪付き携帯型ＩＶポールに取り付ける際の単一障害点を排除し転倒の危険性を低減するように、点滴システムを配置することに関する。
【背景技術】
【０００２】
[002]点滴システムおよび方法は点滴流体を患者の体内に送達するために使用される。典型的には、点滴システムおよび方法は、点滴用ポールの上部に取り付けられたポンプ、コンピュータプロセッサ、通信ユニット、警報装置、および電力供給装置を含む単一の統合またはモジュラシステムを利用する。しかしながら、これらの機能を全て一つに装置に含むことは、単一障害点となり、メンテナンスを困難とし最適化を低下させ信頼性または安定性の問題につながる虞がある。他のモジュール装置システムは、典型的には、マスタ・ユニット・インタフェース・モジュールと、ポンプおよび患者監視モジュールのような取付け可能な機能ユニットとを含む。しかしながら、モジュールは、電力および指令のためにマスタ・ユーザ・インタフェース・モジュールに取り付けられる必要がある。結果として得られるシステムはしばしば信頼性および安定性の問題を抱えることが多い。
【０００３】
[003]点滴システムおよび方法は、既存の点滴システムまたは方法の１つまたは複数の１つまたは複数の問題を解決するために必要である。
【発明の概要】
【課題を解決するための手段】
【０００４】
[004]本開示の一実施形態では、点滴システムは、点滴用ポール、ポンプ装置、電源装置、コンピュータ処理装置、および電線管を備える。点滴用ポールは、底端に隣接する底部、上端に隣接する上部、および中空軸を含む。ポンプ装置は点滴用ポールの上部に取り付けられる。電源装置は点滴用ポールの底部に取り付けられる。コンピュータ処理装置は点滴用ポールの底部に取り付けられる。電線管は点滴用ポールの中空軸内に延在する。電線管はポンプ装置、電源装置、およびコンピュータ処理装置を接続する。
【０００５】
[005]本開示の別の実施形態では、点滴システムは、点滴用ポール、ポンプ装置、表示装置、入力装置、電源装置、警報装置、コンピュータ処理装置、無線通信装置、インピーダンス整合回路、および電線管を備える。点滴用ポールは、アンテナを含み、底端に隣接する底部、上端に隣接する上部、および中空軸を含む。ポンプ装置は点滴用ポールの上部に取り付けられる。表示装置は点滴用ポールの上部に取り付けられる。入力装置は点滴用ポールの上部に取り付けられる。電源装置は、複数の冗長な電源装置を含み、点滴用ポールの底部に取り付けられる。警報装置は、複数の冗長な警報装置を含み、点滴用ポールの底部に取り付けられる。コンピュータ処理装置は、複数の冗長なコンピュータ処理装置を含み、点滴用ポールの底部に取り付けられる。無線通信装置は、点滴用ポール自体、点滴用ポール内に埋め込まれるアンテナを含むか、または点滴用ポールの底部に取り付けられる。インピーダンス整合回路は点滴用ポールに取り付けられる。電線管は点滴用ポールの中空軸内に延在する。電線管は、ポンプ装置、表示装置、入力装置、電源装置、警報装置、コンピュータ処理装置、無線通信装置、およびインピーダンス整合回路を接続する。
【０００６】
[006]本開示のさらに別の実施形態では、点滴システムを製造、設定、または使用する方法が開示される。１つのステップでは、ポンプ装置は点滴用ポールの上端に隣接して上部に取り付けられる。別のステップでは、電源装置およびコンピュータ処理装置は前記点滴用ポールの底端に隣接して底部に取り付けられる。追加のステップにおいて、電線管は、点滴用ポールの中空軸内に延在して、ポンプ装置、電源、およびコンピュータ処理装置を接続する。
【０００７】
[007]本開示のこれらおよび他の特徴、態様および利点は、以下の図面、説明および特許請求の範囲を参照することによって、よりよく理解されるであろう。
【図面の簡単な説明】
【０００８】
【図１】[008]点滴システムの一実施形態の背面図である。
【図２】[009]点滴システムを製造、設定、または使用する方法の一実施形態のフローチャートである。
【発明を実施するための形態】
【０００９】
[010]以下の詳細な説明は、本開示を実行するための最良の現在考えられるモードのものである。説明は、限定的な意味で解釈されるべきではなく、本開示の一般原理を説明する目的のためだけになされたものであり、本開示の範囲は添付の特許請求の範囲によって最もよく定義される。図面は純粋に例示の目的であり、縮尺どおりではないことに留意されたい。
【００１０】
[011]本開示は、一体型点滴用ポールベース点滴システムに関し、電源、制御、スイッチ、警報、および通信装置が、ポンプ装置、入力装置、および表示装置として別個の場所で点滴用ポールに取り付けられる。これにより、ポンプ装置、入力装置、および表示装置が、電源、制御、スイッチ、警報、および通信装置に対して個別に最適化され、点滴システムの信頼性が向上し、メンテナンスの容易性およびアップグレードの能力が向上し得る。一実施形態では、電源、制御、スイッチ、警報、および通信装置は、点滴用ポールの底部に取り付けられた１つの一体化ユニットを構成してよく、ポンプ装置、入力装置、および表示装置は、点滴用ポールの上部に取り付けられた第２の一体化ユニットを構成してよい。別の実施形態では、電源、制御、スイッチ、警報、および通信装置は、それぞれ、点滴用ポールの底部に取り付けられた別個の装置を構成してよく、ポンプ装置、入力装置、および表示装置は、点滴用ポールの上部に取り付けられた別個の装置を構成してよい。電源、制御、スイッチ、警報および通信装置を点滴用ポールの底部に取り付け、一方でポンプ装置、入力装置、および表示装置を点滴用ポールの上部に取り付けることにより、点滴用ポールの安定性が改善される。
【００１１】
[012]図１は、点滴システム１０の一実施形態の背面図である。点滴システム１０は、情報読取装置７、点滴用ポール１２、固定具１１、ポンプ装置１４、入力装置１５、表示装置１７、サーバ１３、電源装置１６、コンピュータ処理装置１８、電線管２０、スイッチ装置２１、警報装置２２、通信装置２４、インピーダンス整合回路２７、１つまたは複数の車輪２９、を備える。他の実施形態では、これらの構成要素は任意の数で使用されてよく、これらの構成要素のうち１つまたは複数が使用されなくてもよく、これらの構成要素のうちの１つまたは複数が１つの構成要素に組み合わされてもよく、或いは、１つまたは複数の追加の構成要素が追加されてもよい。例えば、一実施形態では、サーバ１３は、電源装置１６、コンピュータ処理装置１８、スイッチ装置２１、警報装置２２、通信装置２４、およびインピーダンス整合回路２７を一体化したものである。同様に、一実施形態では、ポンプ装置１４、入力装置１５、および表示装置１７は、１つの統合構成要素を含んでもよい。他の実施形態では、複数のポンプ装置１４は、同じ電線管２０を有する電源およびデータバスアーキテクチャを使用する同じ点滴用ポール１２に取り付けられ得る。さらに他の実施形態では、これらの構成要素の各々は、別個の統合された構成要素を含む、または構成要素が任意の可能な組み合わせで組み合わされるか統合されるか若しくは分離されてもよい。
【００１２】
[013]点滴用ポール１２は、底端１２Ｂに隣接する底部１２Ａ、上端１２Ｄに隣接する上部１２Ｃ、中空軸１２Ｅ、および取付装置１２Ｆを備えている。一実施形態では、底部１２Ａは、点滴用ポール１２の底の長さの１０〜５０％の範囲であるように定義され、上部１２Ｃは、点滴用ポール１２の頂部長さの１０〜５０％の範囲内にあるように定義される。別の実施形態では、底部１２Ａは、点滴用ポール１２の底の長さの１０〜３０％の範囲であるように定義され、上部１２Ｃは、点滴用ポール１２の頂部長さの１０〜３０％の範囲内にあるように定義される。さらに他の実施形態では、点滴用ポール１２の底部１２Ａおよび上部１２Ｃの長さの百分率は変わってよい。
【００１３】
[014]点滴用ポール１２の底端１２Ｂは、車輪２９が取り付けられる基台を備える。車輪２９は、地面または床面２６から垂直上方に延在する点滴用ポール１２と共に地面または床面２６上を転動するように構成される。装着装置１２Ｆは、情報読取装置７、固定装置１１、サーバ１３、ポンプ装置１４、入力装置１５、表示装置１７、電源装置１６、コンピュータ処理装置１８、スイッチ装置２１、警報装置２２、通信装置２４、車輪２９を点滴用ポール１２に取り付けるのに用いられる。取付装置１２Ｆは、締結具、クランプ、または他のタイプの付属装置を含んでよい。
【００１４】
[015]点滴用ポール１２自体がモノポールアンテナを構成する。一実施形態では、点滴用ポール１２は金属であってもよい。別の実施形態では、点滴用ポール１２はＰＶＣパイプなどの非金属であってもよく点滴用ポール１２内に埋設されたアンテナ１２Ｈを備えてもよい。通信装置２４は、点滴用ポール１２の底部１２Ａに取り付けられる。通信装置２４は、適切なアンテナインピーダンス整合回路２７を有する無線送信機および無線受信機を備え、回路２７は、単一の構成要素または別個の構成要素を含んでよい。他の実施形態では、任意の数の無線送信機および無線受信機を利用してもよい。さらに他の実施形態では、アンテナインピーダンス整合回路２７は、点滴用ポール１２の一部を含んでよい。点滴システム１２は、点滴用ポール１２自体のモノポールアンテナおよび通信装置２４を介して、コンピュータ処理装置１８と１つまたは複数の遠隔の装置２５との間で情報を無線で送受信するように構成されてもよい。１つまたは複数の遠隔の装置２５は、ディスプレイ、入力装置、出力装置、コンピュータ、電話機、タブレット、携帯情報端末、携帯機器、携帯型パソコン、無線装置、または他の種類の遠隔の装置を含んでよい。他の実施形態では、点滴用ポール１２および通信装置２４は、数量、構成、取付け、位置、および機能で変わってよい。
【００１５】
[016]電線管２０は、点滴用ポール１２の中空軸１２Ｅ内に延在する。中空軸１２Ｅは、点滴用ポール１２の底端１２Ｂから上端１２Ｄに延在してもよい。他の実施形態では、中空軸１２Ｅの構成は変更されてよい。電線管２０は、情報読取装置７、サーバ１３、ポンプ装置１４、入力装置１５、表示装置１７、電源装置１６、コンピュータ処理装置１８、スイッチ装置２１、警報装置２２、および通信装置２４を接続する。他の実施形態では、１つまたは複数の構成要素は、ＷｉＦｉ、ブルートゥース（登録商標）、ＲＦまたは他の技術を使用して無線で互いに結合されてよい。電線管２０は、データおよび電源のケーブルを備える。電線管２０は、伸縮可能であってよく、中空軸１２Ｅから点滴用ポール１２の上端１２Ｄを通って延び、任意の構成要素に接続するように構成されてもよい。電線管２０はまた、点滴用ポール１２の任意の数の開口１２Ｇを通って延び、いずれかの構成要素に接続するように構成されてもよい。他の実施形態では、電線管２０は、数量、構成、取付け、位置、および機能で変わってよい。
【００１６】
[017]ポンプ装置１４は、点滴用ポール１２の上部１２Ｃに取り付けられる。ポンプ装置１４は、点滴コンテナ９からチューブ（図示せず）を介して患者に点滴流体をポンピングするように構成される。固定具１１は、点滴用ポール１２に取り付けられ、点滴コンテナ９を保持する。固定具１１は、フック、クリップ、クランプ、または任意のタイプの固定装置を備えてよい。情報読取装置７は、固定装置１１には取り付けられる。情報読取装置７は、点滴コンテナ９内に配置される点滴液体に関する点滴コンテナ９からの情報９ａ（バーコードラベルまたは他の種類のラベルに含まれるような）を読み取り、ポンプ装置１４を作動させる際に使用するための情報９ａをコンピュータ処理装置１８に送信するように構成される。情報読取装置７は、バーコードリーダ、デジタル読取装置、光学読取装置、または他のタイプの読取装置であってもよい。
【００１７】
[018]ポンプ装置１４は、点滴流体をポンピングするためのモータ１４Ａ、点滴流体がポンピングされるポンプ室１４Ｂ、入力装置１５および表示装置１７を制御するローカルコントローラ１４Ｃ、およびポンプ室１４Ｂ内の点滴流体を検知しモータ１４Ａを監視するセンサ１４Ｄを備える。情報を入力可能に構成された入力装置１５、情報を表示するように構成された表示装置１７は共に、ポンプ装置１４およびコンピュータ処理装置１８と有線で通信可能であってよい。１つの実施形態では、ポンプ装置１４は、入力装置１５と表示装置１７を備えてもよい。他の実施形態では、ポンプ装置１４、入力装置１５、および表示装置１７は全て、点滴用ポール１２の上部１２Ｃに取り付けられる別個の構成要素を構成してよい。さらに他の実施形態では、ポンプ装置１４、入力装置１５、および表示装置１７は、数量、構成、取付け、位置、および機能、で変わってよい。
【００１８】
[019]電源装置１６は点滴用ポール１２の底部１２Ａに取り付けられる。電源装置１６は、情報読取装置７、ポンプ装置１４、入力装置１５、表示装置１７、コンピュータ処理装置１８、スイッチ装置２１、警報装置２２、および通信装置２４に電力を供給するように構成される。電源装置１６は複数の冗長な電源装置を備えてもよい。電源装置１６は、複数の交流電流電源および直流電流電源、複数の交流電流および直流電流変換器モジュール、並びに複数の電池を備えてよい。ｍ＋ｎ（ｍ、ｎは整数）保護スキームを使用して、一次電源をバックアップすることができる。さらに、ｍ＋ｎ（ｍ、ｎは整数）保護スキームを使用して、一次電池をバックアップしてもよい。全ての電源をオンにしてもよく、一次電源が故障した場合には、その出力をバックアップ電源に切り替えるようにしてもよい。一実施形態では、ＩＥＣ−６０６０１−１  ｅｄ．２およびｅｄ．３交流電流および直流電流変換器モジュールを利用してよい。電源装置１６はバッテリパック全体のスマートバッテリ充電器を備えていてもよい。電源装置１６は任意の種類または任意の数の電池を利用してよい。他の実施形態では、電源装置１６は数量、構成、取付け、位置、および機能が変わってよい。
【００１９】
[020]コンピュータ処理装置１８は点滴用ポール１２の底部１２Ａに取り付けられる。コンピュータ処理装置１８は、情報読取装置７、ポンプ装置１４、入力装置１５、表示装置１７、電源装置１６、スイッチ装置２１、警報装置２２、および通信装置２４を制御するように構成される。コンピュータ処理装置１８は複数の冗長なコンピュータ処理装置を備えてもよい。ｍ＋ｎ（ｍ、ｎは整数）保護スキームを使用して、一次コンピュータ処理装置をバックアップしてもよい。全ての冗長なコンピュータ処理装置は同時にオンされ、ホットスワップ可能（ｈｏｔ  ｓｗａｐｐａｂｌｅ）であってもよい。冗長なコンピュータ処理装置は、複数の冗長な中央処理ユニットボード、およびスタティックランダムアクセスメモリまたはフラッシュのような複数の冗長な固体メモリを備えてよい。ｍ＋ｎ（ｍ、ｎは整数）保護スキームを使用して、一次メモリモジュールをバックアップしてよい。冗長なコンピュータ処理装置は、複数の冗長なハードディスクドライブを備えてよい。ｍ＋ｎ（ｍ、ｎは整数）保護スキームを使用して、一次ハードディスクをバックアップしてよい。
【００２０】
[021]スイッチ装置２１は、冗長な電源装置１６などの冗長な部品、冗長なコンピュータ処理装置１８、冗長な警報装置２２、および冗長な通信装置２４の間を切り替えるように構成されて、どの冗長な構成要素が使用されているかを制御／決定する。他の実施形態では、点滴システム１０の構成要素のいずれかを冗長にし、スイッチ装置２１が任意の所与の時点でどの冗長な構成要素を使用するかを制御してもよい。
【００２１】
[022]ポンプ装置１４に使用されてよい点滴ポンプ装置ソフトウェアの全てのバージョンは、コンピュータ処理装置１８に常駐する１つまたは複数のデータベースにインストールされてよい。新しいまたは更新されたポンプ装置１４が電線管２０に接続されたときに、適切なソフトウェアバージョンが自動的に識別され、点滴システム１０は、新しいまたは更新されたポンプ装置１４と適切に識別されたソフトウェアバージョンとの一致した対で自動的に構成してよい。ポンプ装置１４は、任意のコンピュータ処理装置１８の設計に対して別々に最適化されてよい。コンピュータ処理装置１８は、任意のポンプ装置１４の設計に対して別々に最適化されてよい。ポンプ装置１４のアップグレード、およびコンピュータ処理装置１８のアップグレードは、互いに完全に独立していてもよい。他の実施形態では、コンピュータ処理装置１８は、数量、構成、取付け、位置、および機能で変わってよい。
【００２２】
[023]警報装置２２は点滴用ポール１２の底部１２Ａに取り付けられる。警報装置２２は、コンピュータ処理装置１８が確認するようにポンプ装置１４の１つまたは複数の条件が一致するときに警報を鳴らすか可視可させるように構成される。警報装置２２は複数の冗長な警報装置を備えてもよい。他の実施形態では、警報装置２２は、数量、構成、取付け、位置、および機能で変わってよい。
【００２３】
[024]ＩＥＣ−６０６０１−１  ｅｄ．３は、点滴用のポールが先端を越えないように機械的に安定していることを必要とする。点滴用ポール１２の底部１２Ａにおける電源装置１６、コンピュータ処理装置１８、スイッチ装置２１、警報装置２２、および通信装置２４が取り付けられると、特に車輪２９が点滴システム１０を地面または床面２６上に動かすのに使用されるときに、点滴システム１０の安定性が高まる。
【００２４】
[025]他の実施形態では、点滴システム１０は、構成、構成要素、および機能で変わってよい。
[026]図２は、点滴システムを製造、設定、および／または使用するための方法３０の一実施形態のフローチャートを示す。図１の点滴システム１０は、図２の方法３０を実施する際に利用されてよい。他の実施形態では、図２の方法３０は点滴システムを変えるときに利用されてよい。ステップ３２において、情報読取装置、ポンプ装置、入力装置、および表示装置は、点滴用ポールの上端に隣接して上部に取り付けられる。一実施形態では、ポンプ装置は、入力装置および表示装置を含むことができる。別の実施形態では、ポンプ装置、入力装置、および表示装置は、様々な構成要素を含んでよい。さらに他の実施形態では、ポンプ装置、入力装置、および表示装置は、任意の組み合わせで組み合わされまたは分離されてよい。ステップ３４において、電源装置、コンピュータ処理装置、スイッチ装置、警報装置、および通信装置を含む（インピーダンス整合回路を含んでよい）サーバは、点滴用ポールの底端に隣接して底部に取り付けられる。一実施形態では、電源装置、コンピュータ処理装置、スイッチ装置、警報装置、および通信装置は全て、サーバを構成する同一の装置を構成してよい。別の実施形態では、電源装置、コンピュータ処理装置、スイッチ装置、警報装置、および通信装置は、別個の装置を構成してよいし、または任意の組み合わせで組み合わされ若しくは分離されてもよい。電源装置、コンピュータ処理装置、スイッチ装置、警報装置、および通信装置、または点滴システムの他の任意の構成要素のうちいずれも、冗長である複数の装置を備えてよい。
【００２５】
[027]ステップ３６において、電線管は点滴用ポールの中空軸内に延在して、情報読取装置、ポンプ装置、入力装置、表示装置、電源装置、コンピュータ処理装置、スイッチ装置、警報装置、および通信装置（インピーダンス整合回路を含んでよい）を接続してよい。一実施形態では、ステップ３６は、点滴用ポールの中空軸から点滴用ポールの上端を通って延在する伸縮可能な電線管を備えて、点滴システムの任意の構成要素に接続してよい。別の実施形態では、ステップ３６は、電線管を、点滴用ポールの１つまたは複数の様々な位置開口部を通して延在させるステップを含んでよく、電線管を点滴システムの構成要素のいずれかに接続する。
【００２６】
[028]ステップ３８では、情報読取装置、ポンプ装置、入力装置、表示装置、コンピュータ処理装置、スイッチ装置、警報装置、および通信装置（インピーダンス整合回路を含む）は、電源装置により電源が供給されるように構成される。一実施形態では、ステップ３８は、情報読取装置、ポンプ装置、入力装置、表示装置、コンピュータ処理装置、スイッチ装置、警報装置、および通信装置に冗長な電源装置で電力供給するステップを含み、スイッチ装置で冗長な構成要素を任意の所与の時刻に使用するように制御する。一実施形態では、電源装置は、複数の交流電流および直流電流電源、複数の交流電流および直流電流変換器モジュール、並びに複数の電池を備えてよい。他の実施形態では、電源装置は変わってよい。
【００２７】
[029]ステップ４０では、情報読取装置、ポンプ装置、入力装置、表示装置、電源装置、スイッチ装置、警報装置、および通信装置は、コンピュータ処理装置で制御される。別の実施形態では、ステップ４０は、冗長なコンピュータ処理装置を有する、情報読取装置、ポンプ装置、入力装置、表示装置、電源装置、スイッチ装置、警報装置、および、通信装置を制御するステップを含んで良い。
【００２８】
[030]ステップ４２では、情報は入力装置に入力され、情報はコンピュータ処理装置によって利用されてポンプ装置を制御する。一実施形態では、ステップ４２は、情報を表示装置に表示するステップをさらに含んでよい。ステップ４４では、いずれかがインピーダンス整合回路を含んでよい点滴用ポールをアンテナとしておよび／または通信装置を使用して、情報を含む信号が、コンピュータ処理装置と１つまたは複数の遠隔の装置との間で送受信される。通信装置は、同じまたは異なる構成要素を含んでよい無線送信機および無線受信機を備えてよい。
【００２９】
[031]他の実施形態では、方法３０のステップのうちの１つまたは複数は、実質または順序が変わってよい。方法３０のステップのうちの１つまたは複数は、連続しなくてよいし、或いは１つまたは複数の追加のステップが方法３０に追加されてもよい。さらに他の実施形態では、方法はさらに変わってもよい。
【００３０】
[032]上述したのは本開示の例示的な実施形態に関するものであり、特許請求の範囲に記載されているような本開示の範囲から逸脱することなく修正を行うことができることは言うまでもなく理解されよう。請求項の構築に対し、請求項に明示的に指定されていない限り、任意の単一の請求項の複数の装置が１つの一体化された装置に互いに組み合わされ得、別個の装置を構成し得、または任意の組み合わせで組み合わされ統合され若しくは分離され得ることに留意されたい。
【図１】
0006742985.tif 000002
【図２】
0006742985.tif 000003